(57)【特許請求の範囲】
【請求項１】
表示パネルと、
該表示パネルを搭載する搭載面と、該搭載面の外縁部に該搭載面から突出して設けられ前記表示パネルの向き及び位置を規定するリブとが形成されたバックライトと、を備え、
前記表示パネルは、前記搭載面から順次に積層され且つ接合面で相互に接合された下部基板及び上部基板から構成され、前記上部基板の外縁が前記下部基板の外縁よりも内側に配設される第１のパネル部分と、前記上部基板の外縁と前記下部基板の外縁とがほぼ面一に配設される第２のパネル部分とを有し、
前記リブの少なくとも前記第２のパネル部分沿いに配設される部分は、前記表示パネルの外縁と対向する位置規制壁と、前記表示パネルの前記接合面と重なるように配置され前記上部基板の外縁と対向する上部位置規制壁と前記下部基板の外縁と対向する下部位置規制壁とに前記位置規制壁を隔てる溝と、が形成されたリブ部分から構成されていることを特徴とする表示装置。
【請求項２】
前記溝の断面形状は、略四角形、略Ｖ字形、略Ｕ字形又は略半円形である請求項１に記載の表示装置。
【発明の詳細な説明】
【技術分野】
【０００１】
本発明は、表示装置に関し、更に詳細には、発光面及び発光面の周囲に形成されたリブを備えるバックライトと、バックライトの発光面上に載置されると共に、リブによって面内方向の位置が規定されるパネル部を有する表示パネルとを備える表示装置に関する。
【背景技術】
【０００２】
液晶表示装置は、一般的に、液晶表示パネルがバックライトとシールドフロントとの間に挟まれて位置が固定される構造を有する。図１８は従来の液晶表示装置を表示面側から見た構成を示す斜視図であり、図１９は、図１８の液晶表示装置を展開して示す斜視図である。液晶表示装置１００は、前面側に長方形状の発光面１１ａを備えるバックライト１１と、発光面１１ａ上に配設され、光スイッチング機能を備える液晶表示パネル１２と、表示面１３ａを規定するシールドフロント１３とを備える。
【０００３】
液晶表示パネル１２は、パネル部２１と、パネル部２１に接続された複数のＴＣＰ（Tape Carrier Package）２２と、ＴＣＰ２２に機械的及び電気的に接続された回路基板２３とを備える。ＴＣＰ２２は、パネル部２１を駆動するＩＣを搭載し、回路基板２３は、ＴＣＰ２２の駆動を制御する制御信号を出力する。
【０００４】
パネル部２１は、図示しない液晶層と、液晶層を挟持する一対の基板２４，２５と、これら基板２４，２５の外側表面にそれぞれ配設された偏光板（図示せず）とを備える。パネル部２１は、面内にマトリクス状に配設された画素を有している。一方の基板２４には、各画素のスイッチングを制御するＴＦＴ（Thin Film Transistor）等のスイッチング素子がマトリクス状に配列形成され、アクティブマトリクス基板（以下、ＴＦＴ基板と呼ぶ）２４を構成している。他方の基板２５には、各画素に対応した色のカラーフィルタ（ＣＦ）等が形成され、対向基板（ＣＦ基板）２５を構成している。回路基板２３及びＴＣＰ２２を介してＴＦＴ素子を駆動させることによって、各画素ごとに表示を制御している。
【０００５】
ＴＣＰ２２及び回路基板２３は、例えばパネル部２１の隣り合う２つの辺に沿って配設されている。これら２つの辺では、パネル部２１の面内方向に見て、対向基板２５の外縁が、ＴＦＴ基板２４の外縁よりも内側に形成されており、ＴＣＰ２２は、露出したＴＦＴ基板２４の内側表面の縁部に接続されている。
【０００６】
バックライト１１は、前面側に発光面１１ａを規定するフレーム状のバックライトシャーシ３１を備える。バックライトシャーシ３１上には、発光面１１ａの４つのコーナー部の近傍に、パネル部２１の位置を規定するリブ３２が形成されている。リブ３２は、各コーナー部に１つが形成されており、各リブ３２は、パネル部２１のコーナー部では一対のリブ部分からなる。各リブ部分は、細長い直方体形状を有し、パネル部２１の外縁部に沿って配設されている。また、パネル部２１の外形寸法のばらつきや、リブ３２間の距離のばらつきを考慮し、パネル部２１の外縁部とリブ３２との間に、０．２〜０．３ｍｍの間隔の隙間が形成されるように配設されている。
【０００７】
図２０（ａ）は、図１９の液晶表示装置でバックライト１１上に液晶表示パネル１２を載置した状態を示す平面図であり、図２０（ｂ）は、図２０（ａ）のｂ−ｂ線に沿った断面を示す断面図である。バックライト１１は、例えばエッジライト式のバックライトであって、発光面１１ａには、図２０（ｂ）に示すように、前面側から、光学シート３３、導光板３４、及び、反射シート（図示なし）が順次に配設され、導光板３４の側部に、ランプ光源（図示なし）が配設されている。バックライトシャーシ３１は、発光面１１ａの周囲に、ＴＦＴ基板２４を載置する平らな搭載面３５、及び、搭載面３５よりも発光面１１ａ側に形成され偏光板２６を収容可能な凹部３６を有する。符号２８はパネル部２１の表示領域の境界を示している。
【０００８】
液晶表示装置１００の組立てに際しては、先ず、パネル部２１の４つのコーナー部がリブ３２の内側に位置するようにパネル部２１の面内方向に位置を合わせ、次いで、液晶表示パネル１２をバックライト１１上に載置する。この載置に際しては、バックライトシャーシの凹部３６に偏光板２６を収容した状態で搭載面３５上にＴＦＴ基板２４を載置する。更に、バックライト１１及び液晶表示パネル１２を覆うようにシールドフロント１３を被せ、所定位置まで押し下げることによって組立てを完了する。バックライト１１とシールドフロント１３との間の固定は、ねじ止めやカシメ、爪嵌合などによって行われる。
【０００９】
ところで、従来の液晶表示装置１００では、バックライトの発光面１１ａ上に塵埃が付着することにより、塵埃の影が表示面１３ａに投影される表示不良が生じる問題があった。この表示不良は、以下の原因により生じていた。液晶表示装置１００では、ＴＦＴ基板２４及び対向基板２５の基体はガラス基板等の透明基板で構成されるが、透明基板の外縁は研磨されておらず、図２０（ｂ）に符号１０１で示すように、微小な凹凸を有する。従って、液晶表示装置１００が振動した際に、透明基板の外縁がリブ３２に接触して擦れ合うことによって、塵埃が発生する。この塵埃が、ＴＦＴ基板２４の外側表面とバックライトの搭載面３５との間を通過して、パネル部２１の下部へ侵入することによって、バックライトの発光面１１ａ上への付着が生じていたものである。
【００１０】
上記問題に対して、パネル部２１に対向するリブ３２の側面に傾斜面を形成する対策が採用されている。図２１は、そのような傾斜面を有する液晶表示装置について、図２０（ｂ）に相当する断面を示す断面図である。この液晶表示装置１１０では、リブ３２のパネル部２１と対向する側に、傾斜面１１２が形成されている。
【００１１】
液晶表示装置１１０では、パネル部２１の外縁に対向する位置規制壁１１１と傾斜面１１２との境界の高さが、ＴＦＴ基板２４の内側表面よりも低い高さに設定されることによって、パネル部２１の外縁部とリブ３２とが当接する際に、ＴＦＴ基板２４の外縁の一部のみがリブ３２に接触する。パネル部２１の外縁とリブ３２との接触面積を低減することによって、パネル部２１とリブ３２との擦れに起因する塵埃の発生を抑制できるものと考えられている。リブの側面に傾斜面を形成した液晶表示装置は、例えば特許文献１に記載されている。
【先行技術文献】
【特許文献】
【００１２】
【特許文献１】特開２００１−４９８３号公報（図２）
【発明の概要】
【発明が解決しようとする課題】
【００１３】
図２１の液晶表示装置１１０を実際に製造し、その表示不良の発生率を調べる研究を行ったところ、塵埃による表示不良は充分に抑制できないことが判った。このように、塵埃による表示不良を充分に抑制できない理由は、下記のように考えられる。
【００１４】
パネル部２１は、液晶層を挟んでＴＦＴ基板２４及び対向基板２５を相互に貼り合わせることによって形成される。従って、貼合せの加工精度によって、ＴＦＴ基板２４の外縁の位置と対向基板２５の外縁の位置とは完全には一致せず、一定のズレが生じる。ＴＦＴ基板２４と対向基板２５との貼合せの状態によっては、パネル部２１の面内方向に見て、対向基板２５の外縁が、ＴＦＴ基板２４の外縁よりも外側へ突出することがある。
【００１５】
図２１に示した液晶表示装置では、ＴＦＴ基板２４や対向基板２５の厚みは例えば０．７ｍｍであり、位置規制壁１１１と傾斜面１１２との境界は、リブ３２形成の際の寸法ばらつきを考慮し、その一部が対向基板２５に当接しないように、バックライトの搭載面３５から０．５〜０．６ｍｍ程度の高さに設定される。傾斜面１１２の傾斜角は、液晶表示装置１１０組立てに際して、液晶表示パネル１２を載置し易いように、例えば１０〜３０°程度に設定される。
【００１６】
ＴＦＴ基板２４の外縁と対向基板２５の外縁との間のズレ量は、例えば最大で０．４ｍｍ程度あるため、対向基板２５の外縁の突出量が大きいと、傾斜角を３０°に設定しても、図２２の符号１１３に示すように、ＴＦＴ基板２４のリブ３２への当接に先立って、対向基板２５の角部がリブの傾斜面１１２へ当接する。上記表示不良の原因となった塵埃は、この対向基板２５の角部とリブの傾斜面１１２との擦れによって発生したものである。
【００１７】
ここで、対向基板２５の角部がリブの傾斜面１１２に当接しないように、傾斜面１１２の傾斜角を充分に大きくする対策が考えられる。しかし、本発明者が試算したところ、ＴＦＴ基板２４の外縁と対向基板２５の外縁とのズレ量が最大で０．４ｍｍであるとすれば、位置規制壁１１１と傾斜面１１２との境界の高さを、バックライトの搭載面３５から０．５ｍｍの高さに下げたとしても、図２３（ａ）に示すように、傾斜角を６８°よりも大きく設定しなければ、対向基板２５の角部のリブの傾斜面１１２への当接を防止することが出来ない。
【００１８】
しかし、傾斜面１１２の傾斜角が大き過ぎると、図２３（ｂ）に示すように、この液晶表示装置１２０の組立てに際して、リブ３２上に液晶表示パネル１２が乗り上げた状態で静止し易くなり、この状態で、シールドフロント１３などの部材が取り付けられることによって、液晶表示装置に寸法不良が生じ、或いは、ストレスによって液晶表示パネル１２が破損するおそれがある。特に、パネル部２１の寸法が大きな液晶表示装置では、液晶表示パネル１２の重量が大きいため、リブ３２上で液晶表示パネル１２がより静止し易くなる。
【００１９】
良好な品質を有する液晶表示装置を実現するには、液晶表示パネル１２とリブ３２との擦れによる塵埃の発生を抑制することが必須である。本発明は、上記に鑑み、表示パネルとリブとの擦れに起因する塵埃の発生を抑制可能な表示装置を提供することを目的とする。
【課題を解決するための手段】
【００２０】
本発明に係る表示装置は、表示パネルと、該表示パネルを搭載する搭載面と、該搭載面の外縁部に該搭載面から突出して設けられ前記表示パネルの向き及び位置を規定するリブとが形成されたバックライトと、を備え、
前記表示パネルは、前記搭載面から順次に積層され且つ接合面で相互に接合された下部基板及び上部基板から構成され、前記上部基板の外縁が前記下部基板の外縁よりも内側に配設される第１のパネル部分と、前記上部基板の外縁と前記下部基板の外縁とがほぼ面一に配設される第２のパネル部分とを有し、
前記リブの少なくとも前記第２のパネル部分沿いに配設される部分は、前記表示パネルの外縁と対向する位置規制壁と、前記表示パネルの前記接合面と重なるように配置され前記上部基板の外縁と対向する上部位置規制壁と前記下部基板の外縁と対向する下部位置規制壁とに前記位置規制壁を隔てる溝と、が形成されたリブ部分から構成されていることを特徴とする。
【発明の効果】
【００２１】
本発明に係る表示装置によれば、リブ部分に、前記表示パネルの外縁と対向する位置規制壁と、前記表示パネルの前記接合面と重なるように配置され前記上部基板の外縁と対向する上部位置規制壁と前記下部基板の外縁と対向する下部位置規制壁とに前記位置規制壁を隔てる溝と、が形成されていることによって、表示パネルの上部基板が下部基板より突出している場合には、上部基板の外縁の一部のみが溝より高い上部位置規制壁に接触し、表示パネルの下部基板が上部基板より突出している場合には、下部基板の外縁の一部のみが溝より低い下部位置規制壁と接触する。従って、何れの場合にも表示パネルの外縁部とリブとの接触面積を低減して塵埃の発生を低減できる。
【００２２】
本発明に係る表示装置では、また、下部基板及び上部基板のうちでより突出している基板によって位置が規定されるため、表示パネルの最外縁を基準にその面内方向の位置決めを行うことが出来る。なお、本発明に係る表示装置において、リブ部分は、表示装置におけるリブの全体として構成されてもよい。また、第２のパネル部分の外縁部と位置規制壁との接触面積は、溝の高さや幅によって調節できる。
【図面の簡単な説明】
【００２３】
【図１】本発明の第１実施形態に係る液晶表示装置を展開して示す斜視図である。
【図２】図１の液晶表示装置で、バックライト上に液晶表示パネルを載置した状態を示す平面図である。
【図３】図３（ａ）、（ｂ）は、図２のａ−ａ線及びｂ−ｂ線に沿った断面をそれぞれ示す断面図である。
【図４】図４（ａ）は、図２の点線部IVを拡大して示す平面図であり、図４（ｂ）は、図４（ａ）のａ−ａ線に沿った断面を示す断面図である。
【図５】図１の点線部Ｖを拡大して模式的に示す斜視図である。
【図６】第１実施形態の第１変形例に係る液晶表示装置について、図５に相当する構成を示す斜視図である。
【図７】第１実施形態の第２変形例に係る液晶表示装置について、図５に相当する構成を示す斜視図である。
【図８】第１実施形態の第３変形例に係る液晶表示装置について、図５に相当する構成を示す斜視図である。
【図９】第１実施形態の第４変形例に係る液晶表示装置について、図５に相当する構成を示す斜視図である。
【図１０】第１実施形態の第５変形例に係る液晶表示装置について、図２に相当する構成を示す平面図である。
【図１１】第１実施形態の第６変形例に係る液晶表示装置について、図２に相当する構成を示す平面図である。
【図１２】第１実施形態の第７変形例に係る液晶表示装置について、図２に相当する構成を示す平面図である。
【図１３】図１３（ａ）は、本発明の第２実施形態に係る液晶表示装置について、図５に相当する構成を示す斜視図であり、図１３（ｂ）は、図１３（ａ）のｂ−ｂ線に沿った断面を示す断面図である。
【図１４】図１４（ａ）は、本発明の第３実施形態に係る液晶表示装置について、図５に相当する構成を示す斜視図であり、図１４（ｂ）は、図１４（ａ）のｂ−ｂ線に沿った断面を示す断面図である。
【図１５】本発明の第４実施形態に係る液晶表示装置について、図４に相当する構成を示す平面図である。
【図１６】第４実施形態の第１変形例に係る液晶表示装置について、図１５に相当する構成を示す平面図である。
【図１７】第４実施形態の第２変形例に係る液晶表示装置について、図１５に相当する構成を示す平面図である。
【図１８】従来の液晶表示装置の構成を示す斜視図である。
【図１９】図１８の液晶表示装置を展開して示す斜視図である。
【図２０】図２０（ａ）は、図１９の液晶表示装置でバックライト上に液晶表示パネルを載置した状態を示す平面図であり、図２０（ｂ）は、図２０（ａ）のｂ−ｂ線に沿った断面を示す断面図である。
【図２１】従来の別の液晶表示装置の構成を示す断面図である。
【図２２】図２１の液晶表示装置の問題点を示す断面図である。
【図２３】図２３（ａ）は、図２１の液晶表示装置で傾斜面の角度を変更した液晶表示装置の構成を示す断面図であり、図２３（ｂ）は、図２３（ａ）の液晶表示装置の問題点を示す断面図である。
【発明を実施するための形態】
【００２４】
以下に、図面を参照し、本発明の実施形態に基づいて本発明を更に詳細に説明する。図１は本発明の第１実施形態に係る液晶表示装置を展開して示す斜視図であり、図２は、図１のバックライト１１上に表示パネル１２を載置した状態を示す平面図である。液晶表示装置１０は、バックライト１１上に形成されたリブ３２の形状が異なることを除いては、図１８〜図２０に示した従来の液晶表示装置１００と同様の構成を有している。
【００２５】
パネル部２１では、ＴＣＰ２２が接続されたパネル部２１の２辺で、ＴＦＴ基板２４が対向基板２５よりも大きな寸法を有するため、パネル部２１の面内方向に見て、ＴＦＴ基板２４の外縁が対向基板２５の外縁よりも外側に形成された第１外縁部２１ａと、ＴＦＴ基板２４の外縁及び対向基板２５の外縁が略同じ位置に形成された第２外縁部２１ｂとを有する。本実施形態で、リブ３２は、パネル部２１のコーナー部では一対のリブ部分から構成され、各リブ部分の形状は、パネル部の第１外縁部２１ａに対向する第１リブ部分３２ａ、及び、パネル部の第２外縁部２１ｂに対向する第２リブ部分３２ｂの相互間で異なる高さに形成されている。
【００２６】
リブ３２には、ＴＣＰ２２が接続されたパネル部２１の辺に沿って配設された、第１リブ部分３２ａのみから構成されるリブ４１と、ＴＣＰ２２が接続されていないパネル部２１の辺に沿って配設され、第２リブ部分３２ｂのみから構成されるリブ４２と、ＴＣＰ２２が接続されていないパネル部２１の辺に沿って配設され、第１リブ部分３２ａ及び第２リブ部分３２ｂから構成されるリブ４３とがある。リブ４３は、パネル部の第１外縁部２１ａと第２外縁部２１ｂとの境界に配設されている。
【００２７】
図３（ａ），（ｂ）は、図２のａ−ａ線及びｂ−ｂ線に沿った断面をそれぞれ示す断面図である。第１リブ部分３２ａでは、図３（ａ）に示すように、位置規制壁３７の高さが、対向基板２５の外側表面と略同じ高さに設定されている。第２リブ部分３２ｂでは、図３（ｂ）に示すように、位置規制壁３７の高さが、ＴＦＴ基板２４の内側表面よりも僅かに低い高さに設定されている。ＴＦＴ基板２４及び対向基板２５の厚みは例えば０．７ｍｍで、偏光板２６，２７の厚みは例えば０．２ｍｍである。図３（ａ）において、第１リブ部分３２ａの高さＨ１は例えば１．６ｍｍであり、図３（ｂ）において、第２リブ部分３２ｂの高さＨ２は例えば０．６ｍｍである。
【００２８】
図４（ａ）は、図２の点線部IVを拡大して示す平面図であり、図４（ｂ）は、図４（ａ）のａ−ａ線に沿った断面を示している。図４（ａ）のｂ−ｂ線に沿った断面は、図３（ｂ）の断面と同様である。図５は、図１の点線部Ｖを拡大して模式的に示している。本実施形態では、リブ３２は、成形によってバックライトシャーシ３１と一体的に形成されているが、バックライトシャーシ３１に対して後付けされてもよい。
【００２９】
液晶表示装置１０では、図３（ａ）及び図４（ｂ）に示したように、第１リブ部分３２ａの高さが、対向基板２５の外側表面と略同じ高さに設定されていることによって、第１リブ部分３２ａ上へのパネル部２１の乗上げ防止に必要な段差を充分に大きくして、第１リブ部分３２上へのパネル部２１の乗上げを抑制できる。図２において、−Ｘ方向又は−Ｙ方向への乗上げは、リブ４１によって、＋Ｘ方向又は＋Ｙ方向への乗上げは、リブ４３の第１リブ部分３２ａによってそれぞれ抑制できる。
【００３０】
液晶表示装置１０では、また、パネル部の第１外縁部２１ａは、ＴＦＴ基板２４のみが第１リブ部分３２ａに当接する。また、図３（ｂ）に示したように、第２リブ部分３２ｂの高さが、ＴＦＴ基板２４の内側表面よりも僅かに低い高さに設定されていることによって、パネル部の第２外縁部２１ｂは、ＴＦＴ基板２４の一部のみが第２リブ部分３２ｂに当接する。従って、パネル部２１の外縁部とリブ３２との接触面積を低減できる。
【００３１】
本実施形態の液晶表示装置１０によれば、第１リブ部分３２ａの高さが、対向基板２５の外側表面と略同じ高さに設定されていることによって、第１リブ部分３２ａ上へのパネル部２１の乗上げを抑制できる。また、第２リブ部分３２ｂの高さが、ＴＦＴ基板２４の内側表面よりも僅かに低い高さに設定されていることによって、パネル部２１の外縁部とリブ３２との接触面積を低減して、パネル部２１とリブ３２との擦れに起因する塵埃の発生を抑制できる。
【００３２】
第１リブ部分３２ａの高さが、対向基板２５の外側表面と略同じ高さに設定されているものの、パネル部の第１外縁部２１ａは、ＴＦＴ基板２４のみが第１リブ部分３２ａに当接する。このため、パネル部２１の外縁部とリブ３２との接触面積が増加することがなく、パネル部２１とリブ３２との擦れに起因する塵埃の発生を抑制できる。従って、リブ３２上へのパネル部２１の乗上げを抑制しつつ、且つ、パネル部２１の外縁部とリブ３２との擦れに起因する塵埃の発生を抑制できる。
【００３３】
図６は、第１実施形態の第１変形例に係る液晶表示装置について、図５に相当する構成を示す斜視図である。液晶表示装置５１では、第１リブ部分３２ａで、リブ３２頂部のパネル部２１に対向する角部６１が、丸みを有している。角部６１の丸みは、第１リブ部分３２ａ上へのパネル部２１の乗上げを充分に抑制できる程度に設定されている。また、第２リブ部分３２ｂで、パネル部２１の面内方向に対して鉛直に形成された位置規制壁３７の上部に連続して、上側に向かってパネル部２１から遠ざかる傾斜面６２が形成されている。
【００３４】
本変形例の液晶表示装置５１では、第１リブ部分３２ａの角部６１に丸みが、第２リブ部分３２ｂに傾斜面６２がそれぞれ形成されていることによって、バックライト１１上への液晶表示パネル１２の載置を容易に行うことが出来る。
【００３５】
ところで、第１外縁部２１ａと第２外縁部２１ｂとの境界に対向する部分では、第１リブ部分３２ａと第２リブ部分３２ｂとが必ずしも一体的に構成されている必要はない。図７は、第１実施形態の第２変形例に係る液晶表示装置について、図５に相当する構成を示す斜視図である。液晶表示装置５２では、図６に示した液晶表示装置５１と異なり、符号６３に示す部分で、第１リブ部分３２ａと第２リブ部分３２ｂとが分離して形成されている。液晶表示パネル１２の寸法が小さくその重量が比較的小さい場合に、パネル部２１の外縁部とリブ３２との接触面積を低減することによって、塵埃の発生を更に抑制できる。
【００３６】
第１外縁部２１ａと第２外縁部２１ｂとの境界に対向する部分では、第１リブ部分３２ａのみを配設しても構わない。図８は、第１実施形態の第３変形例に係る液晶表示装置について、図５に相当する構成を示す斜視図である。液晶表示装置５３では、図６に示した液晶表示装置５１において、リブ４３の第２リブ部分２３ｂが形成されず、第１リブ部分３２ａのみが形成されている。液晶表示パネル１２の寸法が小さくその重量が比較的小さい場合に、パネル部２１の外縁部とリブ３２との接触面積を低減することによって、塵埃の発生を更に抑制できる。
【００３７】
図９は、第１実施形態の第４変形例に係る液晶表示装置について、図５に相当する構成を示す断面図である。液晶表示装置５４では、図６の液晶表示装置５１において、第２リブ部分３２ｂで、傾斜面６２上に連続して、位置規制壁３７に平行な壁面６４が形成されている。また、壁面６４上に連続して、平坦面６５が形成されている。平坦面６５は、第２リブ部分３２ｂの頂部として構成され、リブ４３では、第１リブ部分３２ａの頂部と第２リブ部分３２ｂの頂部とが連続して形成されている。
【００３８】
本変形例の液晶表示装置５４では、第２リブ部分３２ｂに壁面６４が形成されていることによって、バックライト１１上への液晶表示パネル１２の載置をより容易に行うことが出来る。
【００３９】
第１実施形態及び第１〜第４変形例では、リブ３２を、パネル部２１のコーナー部の近傍に配設した例を示したが、リブ３２の配置位置はこれらの位置に限定されない。図１０〜１２は、第１実施形態の第５〜７変形例に係る液晶表示装置について、図２に相当する構成をそれぞれ示す平面図である。図１０の液晶表示装置５５では、リブ３２は、パネル部２１のコーナー部で、それぞれ連続して形成されている。図１１の液晶表示装置５６では、リブ３２は、ＴＣＰ２２及び回路基板２３が載置された部分を除き、パネル部２１の各辺に沿って連続して形成されている。
【００４０】
図１２の液晶表示装置５７では、リブ３２は、ＴＣＰ２２及び回路基板２３が載置された部分、及び、パネル部２１の一つのコーナー部の近傍を除き、パネル部２１の周囲に沿って連続して形成されている。これら図１０〜図１２に示した液晶表示装置５５〜５７でも、実施形態の液晶表示装置１０と同様に、第１リブ部分３２ａの高さが対向基板２５の外側表面と略同じ高さに、第２リブ部分３２ｂの高さがＴＦＴ基板２４の内側表面よりも僅かに低い高さに設定されている。
【００４１】
図１３（ａ）は、本発明の第２実施形態に係る液晶表示装置について、図５に相当する構成を示す斜視図である。図１３（ｂ）は、図１３（ａ）のｂ−ｂ線に沿った断面を示している。液晶表示装置７０は、図５に示した液晶表示装置１０において、第２リブ部分３２ｂが、対向基板２５の外縁に対向する位置規制壁７１と、搭載面３５と位置規制壁７１との間に形成された後退壁７２を有する。後退壁７２は、位置規制壁７１よりもパネル部２１から遠い位置に形成されている。
【００４２】
パネル部２１の面内方向に見て、位置規制壁７１と後退壁７２との段差は、ＴＦＴ基板２４の外縁と対向基板２５の外縁とのズレ量の範囲よりも充分に大きく設定されている。符号７３に示すリブ３２は、パネル部の第２外縁部２１ｂに対向する部分にのみ形成され、第２リブ部分３２ｂを構成する。搭載面３５から見た位置規制壁７１の下縁部の高さは、ＴＦＴ基板２４と対向基板２５との接合面よりも高く設定され、例えば０．９ｍｍであり、第２リブ部分３２ｂの頂部の高さは、例えば１．６ｍｍである。
【００４３】
リブ３２上部のパネル部２１に対向する角部は、丸みを有している。本実施形態の液晶表示装置７０では、パネル部の第２外縁部２１ｂで、対向基板２５の一部のみがリブ３２と接触するので、第１実施形態と同様に、パネル部２１とリブ３２との接触面積を低減して、塵埃の発生を低減できる。
【００４４】
図１４（ａ）は、本発明の第３実施形態に係る液晶表示装置について、図５に相当する構成を示す斜視図である。図１４（ｂ）は、図１４（ａ）のｂ−ｂ線に沿った断面を示している。液晶表示装置７４は、図５に示した液晶表示装置１０において、第２リブ部分３２ｂが、パネル部の第２外縁部２１ｂに対向する位置規制壁７１と、位置規制壁７１の表面であって、ＴＦＴ基板２４と対向基板２５との接合面と略同じ高さ位置に延在する溝７５とを有する。符号７３に示すリブ３２は、パネル部の第２外縁部２１ｂに対向する部分にのみ形成され、第２リブ部分３２ｂを構成する。
【００４５】
搭載面３５から見た溝７５の中心位置の高さはＴＦＴ基板２４と対向基板２５との接合面とほぼ同じ高さに設定され、例えば０．７ｍｍである。溝７５の幅は０．４ｍｍ、深さは０．３〜０．５ｍｍであり、第２リブ部分３２ｂの頂部の高さは、例えば１．６ｍｍである。
【００４６】
本実施形態の液晶表示装置７４では、パネル部の第２外縁部２１ｂで対向基板２５がＴＦＴ基板２４より突出している場合には、対向基板２５の一部のみが溝７５より高い位置規制壁７１の部分に接触する。一方、パネル部の第２外縁部２１ｂでＴＦＴ基板２４が対向基板２５より突出している場合には、ＴＦＴ基板２４の一部のみが溝７５より低い位置規制壁７１の部分と接触する。従って、何れの場合にも第２実施形態と同様に、パネル部２１とリブ３２との接触面積を低減して、塵埃の発生を低減できる。
【００４７】
本実施形態の液晶表示装置７４では、また、ＴＦＴ基板２４及び対向基板２５のうちでより突出している基板によって位置が規定されるため、パネル部２１の最外縁を基準にその面内方向の位置決めを行うことが出来る。なお、パネル部の第２外縁部２１ｂと位置規制壁７１との接触面積は、溝７５の高さや幅によって調節できる。また、図１４（ｂ）において、四角形の断面形状を有する溝７５を図示したが、溝７５の断面形状はこれに限定されず、例えばＶ字形、Ｕ字形、又は、半円形であってもよい。
【００４８】
図１５は、本発明の第４実施形態に係る液晶表示装置について、図４に相当する構成を示す平面図である。液晶表示装置８０は、バックライト１１上に形成されたリブ３２の形状が異なることを除いては、図１８〜図２０に示した従来の液晶表示装置１００と同様の構成を有している。液晶表示装置８０でリブ３２は、パネル部２１の面と鉛直方向に延びる円柱形に形成されている。
【００４９】
リブ３２の高さは、対向基板２５の外側表面と略同等の高さに設定されている。同図のａ−ａ線に沿った断面は図３（ａ）に示した断面と、ｅ−ｅ線に沿った断面は図２０（ｂ）に示した断面と同様である。
【００５０】
本実施形態の液晶表示装置８０によれば、リブ３２が、パネル部２１の面に鉛直方向に延びる円柱形に形成されていることによって、パネル部２１の外縁部とリブ３２との接触面積を低減し、パネル部２１とリブ３２との擦れに起因する塵埃の発生を抑制できる。また、リブ３２の頂部の高さが、対向基板２５の外側表面と略同等の高さに設定されていることによって、第１リブ部分３２ａ上へのパネル部２１の乗上げに必要な段差を充分に大きくして、第１リブ部分３２上へのパネル部２１の乗上げを抑制できる。
【００５１】
図１６は、第４実施形態の第１変形例に係る液晶表示装置について、図１５に相当する構成を示す平面図である。液晶表示装置８１では、リブ３２は、パネル部２１の面内方向に見て、パネル部２１に向かって突出する複数の突起９１を有する。突起９１は、パネル部２１の面内方向に見て半円形状に形成されており、パネル部２１の外縁部に沿って周期的に形成されている。
【００５２】
リブ３２は、パネル部２１の面内方向の鉛直方向では、同じ形状に形成されており、リブ３２の高さは、対向基板２５の外側表面と略同等の高さに設定されている。同図のａ−ａ線に沿った断面は図３（ａ）に示した断面と、ｅ−ｅ線に沿った断面は図２０（ｂ）に示した断面と同様である。本変形例の液晶表示装置８１では、パネル部２１の外縁部をより多くのリブ３２の部分で支持することによって、第４実施形態の液晶表示装置８０に比して、リブ３２の信頼性を高めている。
【００５３】
図１７は、第４実施形態の第２変形例に係る液晶表示装置について、図１５に相当する構成を示す平面図である。液晶表示装置８２では、図１６の液晶表示装置８１において、突起９１が、パネル部２１の面内方向に見てＶ字状に形成されている。本変形例の液晶表示装置８２では、第１変形例の液晶表示装置８１と同様の効果を得ることが出来る。
【００５４】
なお、図１５〜図１７に示した液晶表示装置８０〜８２においても、パネル部の第２外縁部２１ｂに対向するリブ３２の部分で、第１実施形態と同様に、位置規制壁３７の高さを、ＴＦＴ基板２４の内側表面よりも僅かに低い高さに設定し、或いは、第２実施形態と同様に、対向基板２５の縁面に対向する位置規制壁７１を有してもよい。これらによって、パネル部２１とリブ３２との接触面積を更に低減して、塵埃の発生を低減できる。
【００５５】
以上、本発明をその好適な実施形態に基づいて説明したが、本発明に係る表示装置は、上記実施形態の構成にのみ限定されるものではなく、上記実施形態の構成から種々の修正及び変更を施した表示装置も、本発明の範囲に含まれる。
【００５６】
上記の実施形態の一部又は全部は、以下の付記のようにも記載され得るが、以下には限られない。
【００５７】
（付記１）
表示パネルと、該表示パネルを搭載する搭載面と該搭載面の外縁部で該搭載面より突出して前記表示パネルの面内方向位置を規定するリブとを有するバックライトとを備える表示装置において、
前記表示パネルは、前記搭載面から順次に積層され且つ接合面で互いに接合された下部基板及び上部基板から構成され、前記上部基板の外縁が前記下部基板の外縁よりも内側に配設される第１のパネル部分と、前記上部基板の外縁と前記下部基板の外縁とがほぼ面一に配設される第２のパネル部分とを有し、
前記リブは、前記第１のパネル部分に対向して形成され前記接合面の高さを越える突出高さを持つ位置規制壁を有する第１リブ部分と、前記第２のパネル部分に対向して配設され前記接合面の高さ以下の突出高さを持つ位置規制壁を有する第２リブ部分とから構成されることを特徴とする表示装置。
【００５８】
（付記２）
表示パネルと、該表示パネルを搭載する搭載面と該搭載面の外縁部で該搭載面より突出して前記表示パネルの面内方向位置を規定するリブとを有するバックライトとを備える表示装置において、
前記表示パネルは、前記搭載面から順次に積層され且つ接合面で互いに接合された下部基板及び上部基板から構成され、前記上部基板の外縁が前記下部基板の外縁よりも内側に配設される第１のパネル部分と、前記上部基板の外縁と前記下部基板の外縁とがほぼ面一に配設される第２のパネル部分とを有し、
前記リブは、前記第１のパネル部分に対向して形成され前記接合面の高さを越える突出高さを持つ位置規制壁を有する第１リブ部分と、前記第２のパネル部分に対向して配設され前記接合面の高さ以下の突出高さを持つ位置規制壁を有する第２リブ部分とから構成され、
矩形状に形成された前記表示パネルの四辺のうち、前記第１のパネル部分及び第２のパネル部分の双方を持つ辺に対向して、少なくとも１つの前記第１リブ部分及び第２リブ部分がそれぞれ形成されていることを特徴とする表示装置。
【００５９】
（付記３）
前記下部基板がアクティブマトリクス基板であり、前記第１のパネル部分での前記アクティブマトリクス基板上にはＴＣＰが接続されている、付記１又は２に記載の表示装置。
【００６０】
（付記４）
前記リブは、矩形状に形成された前記表示パネルの各コーナー部に対応してそれぞれ個別に配設されており、且つ、各コーナー部の前記第１リブ部分と前記第２リブ部分とが別体に形成されている、付記１〜３の何れか一に記載の表示装置。
【００６１】
（付記５）
前記リブは、矩形状に形成された前記表示パネルの各コーナー部に対応してそれぞれ個別に配設されており、且つ、前記個別に配設されたリブの少なくとも一部は、前記第１リブ部分と前記第２リブ部分とが一体に形成されている、付記１〜３の何れか一に記載の表示装置。
【００６２】
（付記６）
前記リブは、前記表示パネルの少なくとも一部のコーナー部の近傍で分割されている、付記５に記載の表示装置。
【００６３】
（付記７）
前記第２リブ部分は、矩形状に形成された前記表示パネルの少なくとも一辺で連続して形成されている、付記１〜３の何れか一に記載の表示装置。
【００６４】
（付記８）
前記第２リブ部分は、前記位置規制壁から連続する上面が傾斜面に形成されている、付記１〜７の何れか一に記載の表示装置。
【００６５】
（付記９）
前記第２リブ部分は、前記位置規制壁から連続する上面が平坦面に形成されている、付記１〜７の何れか一に記載の表示装置。
【００６６】
（付記１０）
表示パネルと、該表示パネルを搭載する搭載面と該搭載面の外縁部で該搭載面より突出して前記表示パネルの面内方向位置を規定するリブとを有するバックライトとを備える表示装置において、
前記表示パネルは、前記搭載面から順次に積層され且つ接合面で相互に接合された下部基板及び上部基板から構成され、前記上部基板の外縁が下部基板の外縁よりも内側に配設される第１のパネル部分と、前記上部基板の外縁と下部基板の外縁とがほぼ面一に配設される第２のパネル部分とを有し、
前記リブは、前記第１のパネル部分に対向して形成され前記接合面の高さを越える突出高さを持つ位置規制壁を有する第１リブ部分と、前記第２のパネル部分に対向して配設され前記接合面の高さを越える部分で前記表示パネル側に対向する位置規制壁と該位置規制壁以外の高さ部分に形成され前記位置規制壁から後退する後退壁とを有する第２リブ部分とから構成されることを特徴とする表示装置。
【００６７】
（付記１１）
表示パネルと、該表示パネルを搭載する搭載面と該搭載面の外縁部で該搭載面より突出して前記表示パネルの面内方向位置を規定するリブとを有するバックライトとを備える表示装置において、
前記表示パネルは、前記搭載面から順次に積層され且つ接合面で相互に接合された下部基板及び上部基板から構成され、
前記リブの少なくとも一部は、前記表示パネル側に対向する位置規制壁と前記接合面の付近で該位置規制壁から後退する溝とを有するリブ部分からなることを特徴とする表示装置。
【００６８】
（付記１２）
表示パネルと、該表示パネルを搭載する搭載面と該搭載面の外縁部で該搭載面より突出して前記表示パネルの面内方向位置を規定するリブとを有するバックライトとを備える表示装置において、
前記リブは、前記表示パネルの外縁部の少なくとも一部に沿って形成されており、前記表示パネルの外縁部に向かって突出する複数の突起を有することを特徴とする表示装置。
【００６９】
（付記１３）
前記突起は、前記表示パネルの外縁部の延在方向に沿って円弧状又はＶ字状に突出する、付記１２に記載の表示装置。
【００７０】
（付記１４）
前記突起は、前記表示パネルの外縁部の延在方向に沿って周期的に形成されている、付記１２又は１３に記載の表示装置。
【００７１】
付記１に係る表示装置によれば、第１リブ部分の位置規制壁が、接合面の高さを越える突出高さを持つことによって、第１のパネル部分の第１リブ部分上への乗上げを抑制できる。また、第２リブ部分の位置規制壁が、接合面の高さ以下の突出高さを持つことによって、第２のパネル部分は、下部基板の外縁の一部のみがリブに当接する。これによって、表示パネルの外縁部とリブとの接触面積を低減して、表示パネルとリブとの擦れに起因する塵埃の発生を抑制できる。従って、リブ上への表示パネルの乗上げを抑制しつつ、且つ、表示パネルとリブとの擦れに起因する塵埃の発生を抑制できる。
【００７２】
付記２に係る表示装置によれば、矩形状に形成された前記表示パネルの四辺のうち、前記第１のパネル部分及び第２のパネル部分の双方を持つ辺に対向して、少なくとも１つの前記第１リブ部分及び第２リブ部分がそれぞれ形成されていることによって、第１のパネル部分及び第２のパネル部分の双方を持つ辺について、リブ上への表示パネルの乗上げを抑制しつつ、且つ、表示パネルとリブとの擦れに起因する塵埃の発生を抑制できる。
【００７３】
付記１、２に係る表示装置では、例えば前記下部基板がアクティブマトリクス基板であり、前記第１のパネル部分での前記アクティブマトリクス基板上にはＴＣＰが接続されている。
【００７４】
付記１、２に係る表示装置では、前記リブは、矩形状に形成された前記表示パネルの各コーナー部に対応してそれぞれ個別に配設されており、且つ、各コーナー部の前記第１リブ部分と前記第２リブ部分とが別体に形成されてもよい。或いは、矩形状に形成された前記液晶表示パネルの各コーナー部に対応してそれぞれ個別に配設されており、且つ、前記個別に配設されたリブの少なくとも一部は、前記第１リブ部分と前記第２リブ部分とが一体に形成されてもよい。
【００７５】
付記１、２に係る表示装置では、前記リブは、前記表示パネルの少なくとも一部のコーナー部の近傍で分割されてもよい。また、前記第２リブ部分は、矩形状に形成された少なくとも前記表示パネルの一辺で連続して形成されてもよい。
【００７６】
付記１、２に係る表示装置の好適な態様では、前記第２リブ部分は、前記位置規制壁から連続する上面が傾斜面に形成されている。バックライト上への表示装置の載置を容易に行うことが出来る。付記１、２に係る表示装置では、前記第２リブ部分は、前記位置規制壁から連続する上面が平坦面に形成されてもよい。
【００７７】
付記１０に係る表示装置によれば、付記１に係る表示装置と同様に、第１リブ部分の位置規制壁が、接合面の高さを越える突出高さを持つことによって、第１のパネル部分が第１リブ部分上へ乗り上げることを抑制できる。また、第２リブ部分が、第２のパネル部分に対向して配設され前記接合面の高さを越える部分で前記表示パネル側に対向する位置規制壁と該位置規制壁以外の高さ部分に形成され前記位置規制壁から後退する後退壁とを有することによって、第２のパネル部分は、上部基板の外縁の一部のみがリブに当接する。これによって、表示パネルの外縁部とリブとの接触面積を低減して、表示パネルとリブとの擦れに起因する塵埃の発生を抑制できる。従って、付記１に係る表示装置と同様に、リブ上への表示パネルの乗上げを抑制しつつ、且つ、表示パネルとリブとの擦れに起因する塵埃の発生を抑制できる。
【００７８】
付記１１に係る表示装置によれば、リブ部分が、前記表示パネル側に対向する位置規制壁と前記接合面の付近で該位置規制壁から後退する溝とを有することによって、表示パネルの上部基板が下部基板より突出している場合には、上部基板の外縁の一部のみが溝より高い位置規制壁の部分に接触し、表示パネルの下部基板が上部基板より突出している場合には、下部基板の外縁の一部のみが溝より低い位置規制壁の部分と接触する。従って、何れの場合にも表示パネルの外縁部とリブとの接触面積を低減して塵埃の発生を低減できる。
【００７９】
付記１１に係る表示装置では、また、下部基板及び上部基板のうちでより突出している基板によって位置が規定されるため、表示パネルの最外縁を基準にその面内方向の位置決めを行うことが出来る。なお、付記１１に係る表示装置において、リブ部分は、表示装置におけるリブの全体として構成されてもよい。また、第２のパネル部分の外縁部と位置規制壁との接触面積は、溝の高さや幅によって調節できる。
【００８０】
付記第１２に係る表示装置によれば、リブが、表示パネルの外縁部の少なくとも一部に沿って形成されており、表示パネルの外縁部に向かって突出する複数の突起を有することによって、表示パネルの外縁部とリブとの接触面積を低減し、表示パネルとリブとの擦れに起因する塵埃の発生を抑制できる。
【００８１】
付記１２に係る表示装置では、前記突起は、前記表示パネルの外縁部の延在方向に沿って円弧状又はＶ字状に突出してもよい。また、前記突起は、前記表示パネルの外縁部の延在方向に沿って周期的に形成されていてもよい。リブは、搭載面と一体的に構成されてもよく、或いは、搭載面とは別の部材として構成されてもよい。
【符号の説明】
【００８２】
１０，５１〜５７，７０，７４，８０〜８２：液晶表示装置
１１：バックライト
１１ａ：発光面
１２：液晶表示パネル
１３：シールドフロント
１３ａ：表示面
２１：パネル部
２１ａ：第１外縁部
２１ｂ：第２外縁部
２２：ＴＣＰ
２３：回路基板
２４：ＴＦＴ基板
２５：対向基板
２６，２７：偏光板
２８：表示領域の境界
３１：バックライトシャーシ
３１ａ：発光面
３２，４１〜４３：リブ
３２ａ：第１リブ部分
３２ｂ：第２リブ部分
３３：光学シート
３４：導光板
３５：搭載面
３６：凹部
３７：位置規制壁
６１：角部
６２：傾斜面
６３：バックライト上の部分
６４：壁面
７１：位置規制壁
７２：後退壁
７３：リブ
７５：溝
９１：突起
【図１】
0005333803.tif 000002
【図２】
0005333803.tif 000003
【図３】
0005333803.tif 000004
【図４】
0005333803.tif 000005
【図５】
0005333803.tif 000006
【図６】
0005333803.tif 000007
【図７】
0005333803.tif 000008
【図８】
0005333803.tif 000009
【図９】
0005333803.tif 000010
【図１０】
0005333803.tif 000011
【図１１】
0005333803.tif 000012
【図１２】
0005333803.tif 000013
【図１３】
0005333803.tif 000014
【図１４】
0005333803.tif 000015
【図１５】
0005333803.tif 000016
【図１６】
0005333803.tif 000017
【図１７】
0005333803.tif 000018
【図１８】
0005333803.tif 000019
【図１９】
0005333803.tif 000020
【図２０】
0005333803.tif 000021
【図２１】
0005333803.tif 000022
【図２２】
0005333803.tif 000023
【図２３】
0005333803.tif 000024